(57)【特許請求の範囲】
【請求項１】
ユーザが自由に乗降できる公共交通機関の区間を登録する登録手段と、
前記ユーザが所持している携帯端末より取得した、当該ユーザが乗車している公共交通機関を特定するための公共交通機関特定用情報と、所定のデータベースに蓄積されている公共交通機関の運行情報とから、前記ユーザが乗車している公共交通機関と、前記登録された区間において前記公共交通機関特定用情報の取得時点以降に前記ユーザが下車可能な次の駅とを特定する特定手段と、
特定された駅に関連付けられている案内情報を、当該案内情報が蓄積されているデータベースより取得する案内情報取得手段と、
特定された駅を表す駅画像を生成するとともに、生成した駅画像の周辺に前記案内情報取得手段で取得した案内情報を環状に配列し、該案内情報を前記ユーザが乗車している公共交通機関が当該駅に到着するまで前記携帯端末のディスプレイに表示可能にする制御手段と、を有する
携帯端末向けの案内情報提供システム。
【請求項２】
ユーザが所持している携帯端末より取得した、当該ユーザが乗車している公共交通機関を特定するための公共交通機関特定用情報と、所定のデータベースに蓄積されている公共交通機関の運行情報とから、前記公共交通機関と、前記公共交通機関特定用情報の取得時点以降に前記ユーザが下車可能な複数の駅とを特定する特定手段と、
特定された複数の駅及び各駅に向かう前記携帯端末の位置情報を含む俯瞰画像を生成する画像生成手段と、
天候、前記ユーザの乗車位置、現在時刻、ユーザ固有のプロファイルのいずれかを、情報の取得条件として受け付ける受付手段と、
特定された複数の駅について駅毎に関連付けられている案内情報のうち、前記取得条件に適合する案内情報を、当該案内情報が蓄積されているデータベースより取得する案内情報取得手段と、
前記ユーザが前記公共交通機関に乗車中は前記俯瞰画像を前記携帯端末のディスプレイに表示させるとともに、次に到着する駅を表す駅画像の周辺に当該駅について取得した案内情報を環状に配列し、該案内情報を前記公共交通機関が当該駅に到着するまで前記携帯端末のディスプレイに表示可能にする制御手段と、
を有する携帯端末向けの案内情報提供システム。
【請求項３】
ユーザに所持される携帯端末であって、
ディスプレイと、
前記ユーザが自由に乗降できる公共交通機関の区間を登録する登録手段と、
前記ユーザが乗車している公共交通機関を特定するための公共交通機関特定用情報を取得する第１情報取得手段と、
前記公共交通機関特定用情報と予め蓄積されている公共交通機関の運行情報とから、前記ユーザが乗車している公共交通機関と、前記公共交通機関特定用情報の取得時点以降に前記ユーザが下車可能な次の駅とを特定し、あるいは、外部装置に特定させるとともに、特定された駅に関連付けられた案内情報を、当該案内情報が蓄積されたデータベースより取得する第２情報取得手段と、
前記駅を表す駅画像を取得する第３情報取得手段と、
取得した駅画像の周辺に当該駅に関連付けられた案内情報を環状に配列し、該案内情報を前記ユーザが乗車している公共交通機関が当該駅に到着するまで前記ディスプレイに表示可能にする表示制御手段と、を有する、
携帯端末。
【請求項４】
自己の現在位置を検出する現在位置検出手段と、
前記現在位置検出手段の検出結果に基づき前記登録された区間における現在位置の相対位置関係を表す俯瞰画像を取得する第４情報取得手段とをさらに有し、
前記表示制御手段は、取得した俯瞰画像を前記駅画像と共に前記ディスプレイに表示させる、
請求項３記載の携帯端末。
【請求項５】
前記案内情報は複数種類に分類されており、
前記表示制御手段は、前記案内情報をその分類毎に異なる表示形態で、前記俯瞰画像における各駅画像の周辺に環状に配列する、
請求項４記載の携帯端末。
【請求項６】
ユーザに所持される携帯端末であって、
ディスプレイと、
前記ユーザが乗車している公共交通機関を特定するための公共交通機関特定用情報を取得する第１情報取得手段と、
前記公共交通機関特定用情報と予め蓄積されている公共交通機関の運行情報とから、前記ユーザが乗車している公共交通機関と、前記公共交通機関特定用情報の取得時点以降に当該ユーザが下車可能な複数の駅とを特定し、あるいは、外部装置に特定させる特定手段と、
特定された複数の駅及び各駅に向かう前記携帯端末の位置情報を含む俯瞰画像を取得する第２情報取得手段と、                   
天候、前記ユーザの乗車位置、現在時刻、ユーザ固有のプロファイルのいずれかを、情報の取得条件として受け付ける受付手段と、
予め公共交通機関の駅毎に関連付けられた案内情報を蓄積したデータベースより、前記取得条件に適合する案内情報を取得する第３情報取得手段と、
前記ユーザが前記公共交通機関に乗車中は前記俯瞰画像を前記ディスプレイに表示させるとともに、次に到着する駅を表す駅画像の周辺に当該駅について取得した案内情報を環状に配列し、該案内情報を前記公共交通機関が当該駅に到着するまで前記ディスプレイに表示可能にする表示制御手段と、
を有する携帯端末。
【請求項７】
ディスプレイを有する携帯コンピュータを、公共交通機関に乗車するユーザに所持される、案内情報提供用の携帯端末として動作させるためのコンピュータプログラムであって、
前記携帯コンピュータを、
前記ユーザが自由に乗降できる公共交通機関の区間を登録する登録手段、
前記ユーザが乗車している公共交通機関を特定するための公共交通機関特定用情報を取得する第１情報取得手段、
前記公共交通機関特定用情報と予め蓄積されている公共交通機関の運行情報とから、前記ユーザが乗車している公共交通機関と、前記公共交通機関特定用情報の取得時点以降に前記ユーザが下車可能な次の駅とを特定し、あるいは、外部装置に特定させるとともに、特定された駅に関連付けられた案内情報を、当該案内情報が蓄積されたデータベースより取得する第２情報取得手段、
前記駅を表す駅画像を取得する第３情報取得手段、
取得した駅画像の周辺に当該駅に関連付けられた案内情報を環状に配列し、該案内情報を前記ユーザが乗車している公共交通機関が当該駅に到着するまで前記ディスプレイに表示可能にする表示制御手段、
として機能させるコンピュータプログラム。
【請求項８】
ディスプレイを有する携帯コンピュータを、公共交通機関に乗車するユーザに所持される、案内情報提供用の携帯端末として動作させるためのコンピュータプログラムであって、
前記携帯コンピュータを、
前記ユーザが乗車している公共交通機関を特定するための公共交通機関特定用情報を取得する第１情報取得手段、
前記公共交通機関特定用情報と予め蓄積されている公共交通機関の運行情報とから、前記ユーザが乗車している公共交通機関と、前記公共交通機関特定用情報の取得時点以降に当該ユーザが下車可能な複数の駅とを特定し、あるいは、外部装置に特定させる特定手段、
特定された複数の駅及び各駅に向かう前記携帯端末の位置情報を含む俯瞰画像を取得する第２情報取得手段、                   
天候、前記ユーザの乗車位置、現在時刻、ユーザ固有のプロファイルのいずれかを、情報の取得条件として受け付ける受付手段、
予め公共交通機関の駅毎に関連付けられた案内情報を蓄積したデータベースより、前記取得条件に適合する案内情報を取得する第３情報取得手段、
前記ユーザが前記公共交通機関に乗車中は前記俯瞰画像を前記ディスプレイに表示させるとともに、次に到着する駅を表す駅画像の周辺に当該駅について取得した案内情報を環状に配列し、該案内情報を前記公共交通機関が当該駅に到着するまで前記ディスプレイに表示可能にする表示制御手段、
として機能させるコンピュータプログラム。
【発明の詳細な説明】
【技術分野】
【０００１】
本発明は、携帯電話やスマートフォン、タブレット等の携帯端末に対して情報を提供する技術に関し、特に、携帯端末を所持して列車等の交通機関に乗車するユーザに対し、下車可能な駅に関連する情報を提供する技術に関する。
【背景技術】
【０００２】
電車等の公共交通網における最適な運行経路の探索技術については、本出願人によって開発された運行経路探索ソフトウェア「駅すぱあと」（登録商標）以来、複数の企業技術者の手により幾多の改良・改善が試みられてきた。
近年は、携帯端末の高性能化やインターネット関連技術の発達により、ネットワークを介して携帯端末から出発地及び目的地の入力を受け付けて経路探索を行い、最適な経路案内を行うサービスが多数提供されている。また、単に経路探索の結果をユーザに提供するのみではなく、出発駅や目的駅の周辺情報の提供も行われている。
【０００３】
特許文献１は、経路案内の他に駅周辺情報や広告等を端末装置に表示する従来技術について開示する。特許文献１では、路線情報配信サーバが、端末装置から受信した経路探索条件に基づいて最適な路線経路又は複数の候補路線経路を探索する。探索した最適経路又は選択された候補路線経路は、端末装置に配信されて表示される。その際、全体の路線図から最適な路線経路又は選択された候補路線経路のみを抽出した図面を表示し、空いているスペースに駅周辺情報や広告等（以下、「案内情報」という。）を表示する。
【先行技術文献】
【特許文献】
【０００４】
【特許文献１】特開２００８−２０９１６４号公報（段落００７２、図５）
【発明の概要】
【発明が解決しようとする課題】
【０００５】
従来、特許文献１のように、経路探索結果とともに表示される案内情報は、目的駅についてのものである。これは、案内情報を提供する提供主にとって、目的駅に選ばれない限り情報の提供ができないために、広告効果をあまり期待できない。ユーザにとっては、目的駅以外の駅の案内情報を入手することができれば、目的駅に向かう途中に立ち寄る契機になる。例えば定期券を利用するユーザは、定期券区間内であれば自由に列車に乗降できる。そのために区間内の停車駅の案内情報を入手することができれば、該停車駅で下車して案内情報に基づく買い物をすることも可能である。このような利用が可能であれば、ユーザおよび案内情報の提供主にとって有益である。
【０００６】
本発明は、上記の問題に鑑み、目的駅に到着するまでの乗降可能な駅の案内情報をユーザに提供するためのシステムを提供することを主たる課題とする。
【課題を解決するための手段】
【０００７】
上記課題を解決する本発明の携帯端末向けの案内情報提供システムは、ユーザが自由に乗降できる公共交通機関の区間を登録する登録手段と、前記ユーザが所持している携帯端末より取得した、当該ユーザが乗車している公共交通機関を特定するための公共交通機関特定用情報と、所定のデータベースに蓄積されている公共交通機関の運行情報とから、前記ユーザが乗車している公共交通機関と、前記登録された区間において前記公共交通機関特定用情報の取得時点以降に前記ユーザが下車可能な次の駅とを特定する特定手段と、特定された駅に関連付けられている案内情報を、当該案内情報が蓄積されているデータベースより取得する案内情報取得手段と、特定された駅を表す駅画像を生成するとともに、生成した駅画像の周辺に前記案内情報取得手段で取得した案内情報を環状に配列し、該案内情報を前記ユーザが乗車している公共交通機関が当該駅に到着するまで前記携帯端末のディスプレイに表示可能にする制御手段と、を有するものである。
本発明の他の案内情報提供システムは、ユーザが所持している携帯端末より取得した、当該ユーザが乗車している公共交通機関を特定するための公共交通機関特定用情報と、所定のデータベースに蓄積されている公共交通機関の運行情報とから、前記公共交通機関と、前記公共交通機関特定用情報の取得時点以降に前記ユーザが下車可能な複数の駅とを特定する特定手段と、特定された複数の駅及び各駅に向かう前記携帯端末の位置情報を含む俯瞰画像を生成する画像生成手段と、天候、前記ユーザの乗車位置、現在時刻、ユーザ固有のプロファイルのいずれかを、情報の取得条件として受け付ける受付手段と、特定された複数の駅について駅毎に関連付けられている案内情報のうち、前記取得条件に適合する案内情報を、当該案内情報が蓄積されているデータベースより取得する案内情報取得手段と、前記ユーザが前記公共交通機関に乗車中は前記俯瞰画像を前記携帯端末のディスプレイに表示させるとともに、次に到着する駅を表す駅画像の周辺に当該駅について取得した案内情報を環状に配列し、該案内情報を前記公共交通機関が当該駅に到着するまで前記携帯端末のディスプレイに表示可能にする制御手段と、を有するものである。
公共交通機関特定用情報には、ＧＰＳによる位置情報、時刻、あるいは、手動入力による利用路線，駅，乗車時刻等を用いることができる。
【０００８】
本発明の携帯端末は、ユーザに所持される携帯端末であって、ディスプレイと、前記ユーザが自由に乗降できる公共交通機関の区間を登録する登録手段と、前記ユーザが乗車している公共交通機関を特定するための公共交通機関特定用情報を取得する第１情報取得手段と、前記公共交通機関特定用情報と予め蓄積されている公共交通機関の運行情報とから、前記ユーザが乗車している公共交通機関と、前記公共交通機関特定用情報の取得時点以降に前記ユーザが下車可能な次の駅とを特定し、あるいは、外部装置に特定させるとともに、特定された駅に関連付けられた案内情報を、当該案内情報が蓄積されたデータベースより取得する第２情報取得手段と、前記駅を表す駅画像を取得する第３情報取得手段と、取得した駅画像の周辺に当該駅に関連付けられた案内情報を環状に配列し、該案内情報を前記ユーザが乗車している公共交通機関が当該駅に到着するまで前記ディスプレイに表示可能にする表示制御手段と、を有するものである。
本発明の他の携帯端末は、ユーザに所持される携帯端末であって、ディスプレイと、前記ユーザが乗車している公共交通機関を特定するための公共交通機関特定用情報を取得する第１情報取得手段と、前記公共交通機関特定用情報と予め蓄積されている公共交通機関の運行情報とから、前記ユーザが乗車している公共交通機関と、前記公共交通機関特定用情報の取得時点以降に当該ユーザが下車可能な複数の駅とを特定し、あるいは、外部装置に特定させる特定手段と、特定された複数の駅及び各駅に向かう前記携帯端末の位置情報を含む俯瞰画像を取得する第２情報取得手段と、天候、前記ユーザの乗車位置、現在時刻、ユーザ固有のプロファイルのいずれかを、情報の取得条件として受け付ける受付手段と、予め公共交通機関の駅毎に関連付けられた案内情報を蓄積したデータベースより、前記取得条件に適合する案内情報を取得する第３情報取得手段と、前記ユーザが前記公共交通機関に乗車中は前記俯瞰画像を前記ディスプレイに表示させるとともに、次に到着する駅を表す駅画像の周辺に当該駅について取得した案内情報を環状に配列し、該案内情報を前記公共交通機関が当該駅に到着するまで前記ディスプレイに表示可能にする表示制御手段と、を有するものである。
【０００９】
本発明のコンピュータプログラムは、ディスプレイを有する携帯コンピュータを、公共交通機関に乗車するユーザに所持される、案内情報提供用の携帯端末として動作させるためのコンピュータプログラムであって、前記携帯コンピュータを、前記ユーザが自由に乗降できる公共交通機関の区間を登録する登録手段、前記ユーザが乗車している公共交通機関を特定するための公共交通機関特定用情報を取得する第１情報取得手段、前記公共交通機関特定用情報と予め蓄積されている公共交通機関の運行情報とから、前記ユーザが乗車している公共交通機関と、前記公共交通機関特定用情報の取得時点以降に前記ユーザが下車可能な次の駅とを特定し、あるいは、外部装置に特定させるとともに、特定された駅に関連付けられた案内情報を、当該案内情報が蓄積されたデータベースより取得する第２情報取得手段、前記駅を表す駅画像を取得する第３情報取得手段、取得した駅画像の周辺に当該駅に関連付けられた案内情報を環状に配列し、該案内情報を前記ユーザが乗車している公共交通機関が当該駅に到着するまで前記ディスプレイに表示可能にする表示制御手段、として機能させるものである。
本発明の他のコンピュータプログラムは、ディスプレイを有する携帯コンピュータを、公共交通機関に乗車するユーザに所持される、案内情報提供用の携帯端末として動作させるためのコンピュータプログラムであって、前記携帯コンピュータを、前記ユーザが乗車している公共交通機関を特定するための公共交通機関特定用情報を取得する第１情報取得手段、前記公共交通機関特定用情報と予め蓄積されている公共交通機関の運行情報とから、前記ユーザが乗車している公共交通機関と、前記公共交通機関特定用情報の取得時点以降に当該ユーザが下車可能な複数の駅とを特定し、あるいは、外部装置に特定させる特定手段、特定された複数の駅及び各駅に向かう前記携帯端末の位置情報を含む俯瞰画像を取得する第２情報取得手段、天候、前記ユーザの乗車位置、現在時刻、ユーザ固有のプロファイルのいずれかを、情報の取得条件として受け付ける受付手段、予め公共交通機関の駅毎に関連付けられた案内情報を蓄積したデータベースより、前記取得条件に適合する案内情報を取得する第３情報取得手段、前記ユーザが前記公共交通機関に乗車中は前記俯瞰画像を前記ディスプレイに表示させるとともに、次に到着する駅を表す駅画像の周辺に当該駅について取得した案内情報を環状に配列し、該案内情報を前記公共交通機関が当該駅に到着するまで前記ディスプレイに表示可能にする表示制御手段、として機能させるものである。
【発明の効果】
【００１０】
本発明によれば、ユーザが下車可能な駅を特定して、特定した駅を表す駅画像と当該駅に関連付けられた案内情報のリンク画像とを、ユーザが乗車している公共交通機関が当該駅に到着するまでディスプレイに表示させるため、目的駅に到着するまでの乗降可能な駅の案内情報をユーザに効果的に提供可能である。
【図面の簡単な説明】
【００１１】
【図１】第１実施形態の案内情報提供システムの構成図。
【図２】ユーザに案内情報を提供するための処理手順を表すフローチャート。
【図３】第２実施形態の案内情報提供システムの構成図。
【図４】ユーザに案内情報を提供するための処理手順を表すフローチャート。
【図５】案内情報の切り替え処理の処理手順を表すフローチャート。
【図６】案内情報の切り替え処理の処理手順を表すフローチャート。
【図７】案内情報の例示図。
【図８】具体的な項目の表示例示図。
【図９】具体的な項目の表示例示図。
【図１０】スライド操作により案内情報が切り替わる様子を表す図。
【図１１】スライド操作により案内情報が切り替わる様子を表す図。
【図１２】スライド操作により案内情報が切り替わる様子を表す図。
【図１３】案内情報の他の例示図。
【図１４】図１３の案内情報を描画するための処理手順を表すフローチャート。
【図１５】地図に経路及び下車可能駅を表示した図。
【発明を実施するための形態】
【００１２】
本発明を、携帯電話、スマートフォン、タブレット等の携帯端末向けの案内情報提供サービスを可能にするネットワーク型の案内情報提供システムに適用した場合の実施の形態例を説明する。このような案内情報提供システムには、サーバにより、携帯端末を所持するユーザが乗車する公共交通機関を特定して案内情報を該携帯端末に提供する構成（第１実施形態）と、携帯端末により、該携帯端末を所持するユーザが乗車する公共交通機関を特定して案内情報をサーバから入手する構成（第２実施形態）とがある。
【００１３】
［第１実施形態の全体構成］
図１は、第１実施形態の案内情報提供システムの構成図である。この案内情報提供システムでは、鉄道等の公共交通機関を利用するユーザが所持する携帯端末２０と、携帯端末２０に案内情報を提供する案内情報提供サーバ１０とが、インターネット等のディジタルネットワークＮを介して通信可能に接続される。
【００１４】
携帯端末２０は、ＧＰＳ（Global Positioning System）あるいはＷｉＦｉ（Wireless Fidelity）のアクセスポイントを利用した端末位置特定機能と、時計機能と、ユーザによるデータの入力を可能とする入力インタフェースと、ディスプレイと、案内情報提供サーバ１０との間の通信制御機能とを有するコンピュータ装置である。
【００１５】
携帯端末２０は、端末位置特定機能及び時計機能、あるいは入力インタフェースにより、ユーザが乗車中の公共交通機関を特定するための公共交通機関特定用情報を取得する。時計機能による現在時刻と端末位置特定機能による携帯端末２０の現在位置により、ユーザが乗車中の公共交通機関が特定できる。例えば、現在時刻が「AM9:00」で現在位置が高円寺駅と中野駅との間の中央線上であれば、当該時刻に当該位置を通過中の列車を特定可能である。入力インタフェースから入力される場合には、ユーザが直接、利用中の路線や駅名、乗車時刻等の公共交通機関を特定するのに必要なデータを入力することになる。
公共交通機関特定用情報は、通信制御機能により、ディジタルネットワークＮを介して案内情報提供サーバ１０に送信される。
【００１６】
案内情報提供サーバ１０は、ハードウエアとしては、ディジタルネットワークＮに接続されるサーバ本体と外部記憶装置とを有する。そして、サーバ本体が外部記憶装置に格納されているコンピュータプログラムを実行することにより、外部記憶装置に、案内情報ＤＢ（ＤＢはデータベースの略、以下同じ）１３１及び運行情報ＤＢ１３２を構築するとともに、サーバ本体を、データ通信用インタフェース１００、情報提供ツール１１０、及び経路探索エンジン１２０として機能させる。
【００１７】
案内情報ＤＢ１３１には、交通機関の駅の情報、例えば駅の位置（緯度、経度）、駅の出入口（北口、南口、Ａ出口、Ｂ出口等：「駅出入口」、以下、単に出入口という）の位置、出入口に繋がる改札、改札から到達可能なホーム、ホーム間の連絡通路等のデータの他に、駅毎の駅画像や駅周辺の店舗の情報や広告等の案内情報が蓄積される。
運行情報ＤＢ１３２は、経路探索用の運行情報、例えばダイヤ情報（路線、時刻表を含む）と、必要に応じて、駅周辺の地図等が蓄積されている。
【００１８】
データ通信用インタフェース１００は、携帯端末２０との双方向通信を可能にするとともに、アクセスしてきた携帯端末２０に階層ページ画面を提供する。この階層ページ画面は、案内情報の表示や経路探索のＷｅｂサービスを行なうためのものである。データ通信用インタフェース１００は、経路探索条件の精緻な指定をシステム側とユーザとの間でインタラクティブに行なうことにより、経路探索を行なう環境をユーザに提供するとともに、携帯端末２０から公共交通機関特定用情報を取得する。
【００１９】
情報提供ツール１１０は、公共交通機関特定用情報から、携帯端末２０を所持するユーザが乗車する公共交通機関を特定し、公共交通機関特定用情報を取得した時点以降にユーザが下車可能な駅を運行情報ＤＢ１３２に蓄積された運行情報により特定する。情報提供ツール１１０は、案内情報ＤＢ１３１から特定した駅に関する情報を読み出して、当該駅を表す駅画像及び当該駅に関連付けられた案内情報のリンク画像を生成する。情報提供ツール１１０は、生成した駅画像及びリンク画像を、データ通信用インタフェース１００を介して、ユーザが乗車している公共交通機関が当該駅に到着するまで携帯端末２０のディスプレイに表示させる。また、時間の経過（列車の運行）とともに、携帯端末２０のディスプレイに表示させる内容を更新する。
【００２０】
経路探索エンジン１２０は、データ通信用インタフェース１００により取得した出発地、目的地、利用時刻（指定の無い場合は現在時刻）を含む経路探索条件に従い、出発地から目的地までの経路探索を行う。出発地と目的地の少なくとも一方については、ユーザが直接入力（指定）したものをそのまま経路探索条件として特定してもよく、予め登録されるものを提示して選択させることで特定するようにしてもよい。
経路探索エンジン１２０は、出発地から目的地に向かって各ノード（駅等）に順次リンクを張ることを繰り返すことにより、１又は複数の経路候補を探索し、経路探索条件に最も適合するものを最適経路候補とする。
経路探索エンジン１２０は、公知の推論エンジンも搭載しており、経路探索途中で、つまり各ノードにリンクを張り付けていく過程で、所要時間が現実的でなくなる経路となることが判明した場合、例えば予めメモリに記憶された閾値と比べて大きくなった場合は、その時点でその経路候補についての次のノード以降の探索を止める。なお、経路探索エンジン１２０の基本機能部分は、本出願人が提供している経路探索ソフトウェア「駅すぱあと」（登録商標）を使用することができる。
【００２１】
このような案内情報提供サーバ１０は、図２に示す処理手順により、携帯端末２０に案内情報を提供する。以下の説明で「Ｓ」は処理ステップを表す。
案内情報提供サーバ１０は、データ通信用インタフェース１００により携帯端末２０から公共交通機関特定用情報及び経路探索条件を取得する（Ｓ１０）。経路探索条件は、経路探索エンジン１２０に送られる。経路探索エンジン１２０は、経路探索条件に基づき、運行情報ＤＢ１３２を参照して経路探索を行う。経路探索結果は、データ通信用インタフェース１００を介して当該携帯端末２０に送信されるとともに、情報提供ツール１１０に送られる。公共交通機関特定用情報は、情報提供ツール１１０に送られる。
情報提供ツール１１０は、経路探索結果及び公共交通機関特定用情報から、当該携帯端末２０を所持しているユーザが乗車する公共交通機関（例えば乗車する路線および列車）を特定する（Ｓ１１）。公共交通機関特定用情報が現在時刻及びそのときの携帯端末２０の位置を表す情報である場合、情報提供ツール１１０は、携帯端末２０の位置及び経路探索結果から使用している路線を特定し、現在時刻から乗車する列車を特定する。公共交通機関特定用情報が入力インタフェースによりユーザが直接入力した、利用中の路線や駅名、乗車時刻等の場合、情報提供ツール１１０は、入力結果からそのまま路線及び列車を特定する。
【００２２】
情報提供ツール１１０は、運行情報ＤＢ１３２を参照して、特定した公共交通機関により目的駅までの間でユーザが下車可能な駅を特定する（Ｓ１２）。情報提供ツール１１０は、運行情報ＤＢ１３２により、ダイヤ情報を確認して、特定した路線及び列車が今後停車する駅（以下、「下車可能駅」という。）を特定する。
下車可能駅の特定後に、情報提供ツール１１０は、現在位置から次に到着する下車可能駅に関する駅画像及びリンク画像を案内情報ＤＢ１３１を参照して生成し、データ通信用インタフェース１００を介して携帯端末２０に提供することで、当該携帯端末２０のディスプレイに、案内情報を表示させる（Ｓ１３、Ｓ１４）。
【００２３】
情報提供ツール１１０は、当該下車可能駅を列車が通過するまで、駅画像及びリンク画像を携帯端末２０のディスプレイに表示させる（Ｓ１５：Y、Ｓ１６）。下車可能駅を通過したか否かは、例えば以下のようにして判断可能である。
公共交通機関特定用情報として現在時刻及びそのときの携帯端末２０の位置を表す情報を取得する場合、案内情報提供サーバ１０は、公共交通機関特定用情報を所定時間間隔（例えば１分）で取得する。これにより、所定時間間隔でユーザが乗車する列車の位置が把握できる。把握した列車の位置と下車可能駅の位置とから、下車可能駅を通過したか否かを判断できる。公共交通機関特定用情報が入力インタフェースによりユーザが直接入力した情報の場合、案内情報提供サーバ１０は、公共交通機関特定用情報を取得してから所定時間経過したかを判断して、これにより下車可能駅を通過したか否かを判断する。
【００２４】
表示終了後、情報提供ツール１１０は、Ｓ１２で特定した下車可能駅がまだ有るかを判断する。下車可能駅が有れば、ステップＳ１３の処理に戻り下車可能駅が無くなるまで処理を繰り返す（Ｓ１７：Y、Ｓ１３）。下車可能駅が無くなれば、案内情報の提供処理を終了する（Ｓ１７：N）。
【００２５】
［第２実施形態の全体構成］
図３は、第２実施形態の案内情報提供システムの構成図である。この案内情報提供システムでは、第１実施形態のサーバ本体で実現した機能を携帯端末２０内に実現して案内情報をユーザに提供する。携帯端末２０は、ディジタルネットワークＮを介して直接データベース３０にアクセスする。このようなデータベース３０は、例えば、クラウド型のデータベースにより実現してもよい。データベース３０に設けられる案内情報ＤＢ１３１及び運行情報ＤＢ１３２は、第１実施形態の案内情報ＤＢ１３１及び運行情報ＤＢ１３２と同じ内容であるので説明を省略する。
【００２６】
携帯端末２０は、ディスプレイ２８を備えており、所定の記憶装置に格納されている本発明のコンピュータプログラムを実行することにより、現在位置検出部２１、登録部２２、特定用情報生成部２３、情報取得部２４、入力制御部２５、画像生成部２６、及び表示制御部２７を構築する。
【００２７】
現在位置検出部２１は、第１実施形態の端末位置特定機能を実現しており、ＧＰＳあるいはＷｉＦｉのアクセスポイントを利用して、携帯端末２０の現在位置を検出する。
登録部２２には、登録情報として、ユーザが利用する公共交通機関の通勤・通学定期区間または乗り降りフリー区間が登録される。登録情報は、ユーザの乗降可能区間を表す。
特定用情報生成部２３は、現在位置検出部２１で検出した現在位置、登録部２２に登録された登録情報、及び現在時刻から公共交通機関特定用情報を生成する。生成した公共交通機関特定用情報は、情報取得部２４に送られる。現在時刻は、例えば携帯端末２０が有する時計機能により取得可能である。
【００２８】
情報取得部２４は、データベース３０との双方向通信を行い、データの送受信を可能にする。情報取得部２４は、データベース３０から、ユーザが乗車している公共交通機関を特定するための公共交通機関特定用情報の入力時点以降にユーザが下車可能な駅および当該駅に関連付けられた案内情報を取得する。
【００２９】
入力制御部２５は、ユーザによる入力装置を用いた各種データの入力制御を行う。携帯端末２０がスマートフォンやタブレットの場合には、ディスプレイ２８がタッチパネルであり入力装置としても機能するために、入力制御部２５は、タッチパネルの動作制御を行う。登録部２２に登録されるデータは、ユーザにより入力装置を用いて入力され、入力制御部２５を介して登録される。
画像生成部２６は、案内情報ＤＢ１３１に蓄積されている駅に関する情報から、駅を表す駅画像および案内情報のリンク画像を生成する。
表示制御部２７は、画像生成部２６で生成された駅画像およびリンク画像を、ディスプレイ２８に表示する。また、各種画像をディスプレイ２８に表示することで、ユーザに対して情報を提供する。ディスプレイ２８に表示する画像は、階層ページ画面であり、ユーザの選択により、各種案内情報が表示される。
【００３０】
このような携帯端末２０は、図４に示す処理手順により、ユーザに案内情報を提供する。
携帯端末２０の特定用情報生成部２３は、現在位置検出部２１で検出した現在位置、登録部２２の登録情報及び現在時刻により公共交通機関特定用情報を生成する（Ｓ２０）。生成した公共交通機関特定用情報は、情報取得部２４に送られる。情報取得部２４は、ディジタルネットワークＮを介してデータベース３０と通信して運行情報ＤＢ１３２を参照し、公共交通機関特定用情報から、ユーザが乗車する路線及び列車を特定する（Ｓ２１）。路線及び列車の特定後に、情報取得部２４は、運行情報ＤＢ１３２から公共交通機関特定用情報の入力時点以降にユーザが下車可能な駅を特定する（Ｓ２２）。また、案内情報ＤＢ１３１から、特定した下車可能駅に関連付けられた案内情報を取得する。案内情報は、画像生成部２６に送られる。
【００３１】
画像生成部２６は、案内情報から駅を表す駅画像および案内情報のリンク画像を生成する（Ｓ２３）。画像生成部２６で生成されたこれらの画像は、表示制御部２７によりディスプレイ２８に表示される（Ｓ２４）。現在位置検出部２１で検出される現在位置が、下車可能駅の位置を通過すると、表示が終了する（Ｓ２５：Y、S２６）。
【００３２】
表示終了後、情報取得部２４は、Ｓ２２で特定した下車可能駅がまだ有るかどうかを判断する。下車可能駅が有れば、ステップＳ２３の処理に戻り下車可能駅が無くなるまで処理を繰り返す（Ｓ２７：Y、Ｓ２３）。下車可能駅が無くなれば、案内情報の提供処理を終了する（Ｓ２７：N）。
【００３３】
なお、第２実施形態において、携帯端末２０が経路探索エンジン及び運行情報ＤＢを備えた構成であってもよい。これは、携帯端末２０に既存の経路探索ソフトウェアをインストールすることで実現できる。このような構成では、登録情報を用いずに、経路探索結果を用いてユーザが乗車する路線及び列車の特定が可能になる。また、下車可能駅の特定も、携帯端末２０内の処理で可能である。つまり、図４のステップＳ２２の処理までを、データベース３０にアクセスすることなく行うことができる。
【００３４】
第１、第２実施形態の案内情報提供システムでは、以上のように、携帯端末２０を所持するユーザに対して、次に下車可能な駅に関する様々な案内情報を提供可能である。
【００３５】
［案内情報の表示切り替え］
第１、第２実施形態の案内情報システムのいずれでも、時間の経過に伴って下車可能駅を通過し、案内情報の表示が切り替わる。案内情報の切り替えには、携帯端末２０の現在位置により切り替える場合と、運行情報に合わせて切り替える場合とがある。案内情報の表示の切り替え処理は、図２のＳ１５や図４のＳ２５で、下車可能駅を通過して、当該下車可能駅の案内情報が表示終了するときに実行される。以下の説明では、第２実施形態の案内情報システムを例にするが、第１実施形態の案内情報システムでも同様の処理が可能である。
【００３６】
［現在位置による切り替え］
図５は、携帯端末２０の現在位置に応じて、案内情報を切り替える処理の処理手順を表すフローチャートである。
現在位置検出部２１により特定される現在位置に基づき（Ｓ３０）、情報取得部２４は、データベース３０にアクセスして、現在地の最寄り駅を特定する（Ｓ３１）。情報取得部２４は、運行情報ＤＢ１３２により、特定した最寄り駅に停車する路線の下車可能駅を抽出する（Ｓ３２）。情報取得部２４は、下車可能駅の位置（緯度、経度）を案内情報ＤＢ１３１により確認して、現在位置検出部２１により取得される現在位置に最も近い２駅を特定する（Ｓ３３）。
【００３７】
情報取得部２４は、特定した２駅のうち、遠くに位置する駅を進行方向の次駅と判定して、この駅を次に案内情報を提供する駅に決定する（Ｓ３４、Ｓ３５）。この処理は、上記の通り、下車可能駅の案内情報の表示終了時に実行される。そのために、最も近い駅は、案内情報の表示が終了する下車可能駅になる。よって、進行方向の次駅には、次に近い駅が決定される。
情報取得部２４は、決定した駅の案内情報を案内情報ＤＢ１３１から読み出して、画像生成部２６に送る。その後、画像生成部２６は、駅画像・リンク画像を生成する。生成された駅画像・リンク画像がディスプレイ２８に表示されて、ユーザに当該駅の案内情報の提供が行われる（Ｓ３６）。
第１実施形態では、上記の処理を情報提供ツール１１０が行うことになる。
【００３８】
［運行情報を利用した切り替え］
図６は、現在時刻に応じて、案内情報を切り替える処理の処理手順を表すフローチャートである。
情報取得部２４は、現在時刻を取得し（Ｓ４０）、運行情報ＤＢ１３２を参照して、図４のＳ２１で特定した路線、列車における下車可能駅の到着時刻を確認する（Ｓ４１）。情報取得部２４は、現在時刻と下車可能駅の到着時刻とから、到着時刻が現在時刻より後で、直近の駅を特定し、この駅を次に案内情報を提供する駅に決定する（Ｓ４２、Ｓ４３）。情報取得部２４は、決定した駅の案内情報を案内情報ＤＢ１３１から読み出して、画像生成部２６に送る。その後、画像生成部２６は、駅画像・リンク画像を生成する。生成された駅画像・リンク画像がディスプレイ２８に表示されて、ユーザに当該駅の案内情報の提供が行われる（Ｓ４４）。
第１実施形態では、上記の処理を情報提供ツール１１０が行うことになる。
【００３９】
［表示例］
図７は、第１、第２実施形態により、携帯端末２０のディスプレイ２８に表示される案内情報の例示図である。図７では、携帯端末２０を所持するユーザが、「高円寺駅」を出発して「新宿駅」、「渋谷駅」を経由し、「外苑前駅」に至る経路を移動中である。この経路は、第１実施形態であれば、経路探索エンジン１２０で探索された経路であり、第２実施形態であれば、登録部２２に登録される経路である。携帯端末２０の現在位置は、「高円寺駅」から「中野駅」への経路の途中であり、案内情報を表示する駅として、次の停車駅である「中野駅」が特定されている。
【００４０】
そのために携帯端末２０のディスプレイ２８には、出発駅である「高円寺駅」から目的駅である「外苑前駅」までの経路を表す経路画像と、次の下車可能駅である「中野駅」に関する案内情報の画像が表示される。また、その次の下車可能駅が「新宿駅」であることを案内しており、進行方向を矢印で示す。
【００４１】
経路画像には、下車可能駅がすべて表示される。図7の経路画像では、下車可能駅の中でユーザが乗降する出発駅と目的駅、および乗り換えを行う駅（図７では、「新宿駅」及び「渋谷駅」）の表示を、他の駅とは異なるものとして目立たせている。これらの駅の表示を他の駅と異ならせるのは、経路案内において重要な駅であることを知らせるためである。経路画像に表示される電車アイコンは、携帯端末２０の現在位置を表示しており、図７の例では「高円寺駅」と「中野駅」の間に位置している。現在位置の変化とともに電車アイコンの位置も変化する。
【００４２】
案内情報は複数種類の項目に分類される。図７の例では、案内情報として、「中食」、「特売」、「トレンド」、「中野限定」、「ランキング」、及び「タイムセール」が表示される。表示制御部２７は、駅画像をディスプレイ２８の略中央部に表示させ、リンク画像を案内情報の分類毎に異なる表示形態で、当該駅画像の周辺に環状に配列する。案内する情報が無い項目は、他の項目とは異なる色で表示して（例えばグレー表示）、案内する情報がないことを知らせる。また、新着情報が有る場合には、そのことを表すキャッチアイコン等を表示する（図７の例では、「New」の表示）。
【００４３】
これらの案内情報は、ユーザの選択により、その項目の詳細情報の表示画面に切り替わるようになっている。図８は、「中食」が選択されたときの例示図である。図７の表示画面から「中食」がユーザにより選択されることで、図８では「中野駅」の案内情報で「中食」が選択されて、「中食」の詳細情報が表示される。また、「中野駅」の次の停車可能駅が「新宿駅」であることと進行方向も表示される。
【００４４】
第１、第２実施形態では、このような案内情報が、携帯端末２０の移動に伴い、図５、図６で説明した処理により、「中野駅」→「新宿駅」→「代々木駅」→…、と順次切り替わる。この他に、ディスプレイ２８に表示される経路画像から、ユーザが所望の駅名をタップ等により選択することで、当該駅に関する案内情報を表示するようにしてもよい。例えば、図７の画面において、経路画像から「外苑前」が選択されれば、ユーザの現在位置にかかわらず、「外苑前駅」に関する案内情報が表示される。「外苑前駅」の案内情報から「タイムセール」が選択された場合の案内情報の例示図を図９に示す。
【００４５】
この場合、情報提供ツール１１０や情報取得部２４に、選択された駅名が送信される。情報提供ツール１１０や情報取得部２４は、受信した駅名に関連する案内情報を案内情報ＤＢ１３１から取得する。その後、案内情報提供サーバ１０や携帯端末２０は、上記の処理により、携帯端末２０のディスプレイ２８に案内情報を表示する。
【００４６】
この他に、案内情報は、いわゆるフリック入力のようなスライド操作により他の駅の案内情報に切り替えることが可能である。スライド操作の場合には、次の下車可能駅の駅名が、情報提供ツール１１０や情報取得部２４に送信される。情報提供ツール１１０や情報取得部２４は、受信した駅名に関連する案内情報を案内情報ＤＢ１３１から取得する。その後案内情報提供サーバ１０や携帯端末２０は、上記の処理により、携帯端末２０のディスプレイ２８に案内情報を表示する。
【００４７】
図１０乃至図１２は、スライド操作により案内情報が切り替わる様子を表す図である。図１０、図１１に示すように、ユーザによりディスプレイ２８の上から下に向かってスライド操作が行われることで、図１２のように案内情報が切り替わる。図１０乃至図１２では、スライド操作により、「中野駅」の案内情報が「新宿駅」の案内情報に切り替わる。図１０では、駅名と案内情報の各項目がスライド操作により上から下に移動することで切り替わる様子を表している。駅毎に案内情報の項目が異なる場合に有効である。図１１では、駅名のみがスライド操作により上から下に移動することで切り替わる様子を表している。駅毎の案内情報の項目が同じである場合に有効である。
【００４８】
図１３は、携帯端末２０のディスプレイ２８に表示される案内情報の他の例示図である。図１３は、地図や路線図上に経路を表示して、その上に、携帯端末２０の現在位置を電車アイコンにより表示する俯瞰画像である。環状の案内情報は、次の停車駅ではなく、天候やユーザの乗車位置、現在時刻、乗換駅等の取得条件が考慮されて表示される。
【００４９】
「天候」を考慮することで、例えば雨天のときは地下連絡施設により移動可能な駅に関する案内情報を優先して提供可能になる。「ユーザの乗車位置」により、ユーザが案内情報で紹介された場所に立ち寄りやすい位置に下車するか（改札に近い位置に下車するか等）を考慮した案内情報の提供が可能になる。「現在時刻」により、サービスが受けられる時刻内にユーザが立ち寄ることが可能な場所についての案内情報を提供可能になる。「乗換駅」は、ユーザが列車を一度下車する。特に、通勤・通学定期区間における乗換駅では、乗降の際に料金がかからないので、駅外へ出て、ユーザが案内情報で紹介された場所に立ち寄りやすい。
これらの他に、取得条件に、ユーザのプロファイル（趣味、趣向、過去に立ち寄ったことのある場所等）を加えてもよい。ユーザのプロファイルは、例えば、携帯端末２０の登録部２２に記録されてもよいが、携帯端末２０内にプロファイルを記録するための記録装置を用意してもよい。また、列車が故障や事故で運行を中止しているとき等は、これを取得条件に加えて、現在の駅に関する案内情報を提供するようにしてもよい。
【００５０】
取得条件は、下車可能駅特定の際に用いられ（図２のＳ１２、図４のＳ２２）、下車可能駅のうち、取得条件を満たす駅に関する案内情報が優先的にユーザに提供される。
【００５１】
図１３では、取得条件を満たす下車可能駅を特定した結果、「新宿駅」、「原宿駅」、及び「渋谷駅」に関する案内情報が表示される。ユーザは、これらの各駅の案内情報を選択することで、図８、図９に示すような情報が得られる。図１３は、ユーザの移動経路における現在位置の相対位置関係を表す俯瞰画像であり、ユーザに、より直感的にわかりやすく案内情報を提供している。
なお、環状の案内情報は、路線図上に表示せず、駅がタップ等で選択されたときに、図７に表示が切り替わって表示するようにしてもよい。例えば図７の経路画像の選択により図１３の路線図に切り替わり、図１３の路線図の駅を選択することで図７の画像に切り替わる。図７の表示と相互に切り替え可能として、ユーザに路線図と情報案内の画面とを容易に選択可能とする。
【００５２】
図１４は、図１３のような案内情報を描画するための処理手順を表すフローチャートである。
携帯端末２０は、地図の表示機能を備えており、まず、ディスプレイ２８に地図を表示する。携帯端末２０は、その地図に重ねて、経路を表示する（Ｓ５０）。経路の表示後に、下車可能駅を表示する（Ｓ５１）。図１５は、地図上に、経路及び下車可能駅を表示した場合の例示図である。
【００５３】
経路及び下車可能駅の表示後、携帯端末２０は、案内情報ＤＢ１３１から表示する案内情報の項目数を確認し、また、案内情報を表示する駅を決める（Ｓ５２、Ｓ５３）。項目数は、案内情報Ｄ１３１により各下車可能駅の案内情報を参照することで確認する。
案内情報を表示する駅は、天候やユーザの乗車位置、現在時刻、乗換駅、ユーザプロファイル等の取得条件により、下車可能駅の中から決められる。
携帯端末２０は、Ｓ５３で決めた駅の案内情報を表示する（Ｓ５４）。図１３の例では、項目数が６で、「新宿駅」、「原宿駅」、及び「渋谷駅」に案内情報が表示される。案内情報が表示される駅の駅名は、色を変えたり、太字にする等により強調表示する。案内情報は、項目がユーザにより選択されることで、当該項目の具体的な情報を表示する。また、携帯端末２０は、現在位置を地図上に表示する。図１３では、電車のアイコンで表している。
【００５４】
携帯端末２０は、現在位置検出部２１による携帯端末２０の現在位置からユーザの移動を検知すると（Ｓ５５：Y）、移動後に下車可能な駅が残っているかを判断して、残っている場合には、案内情報を表示する駅を再び決めて案内情報を表示する（Ｓ５６：Y、Ｓ５３）。この場合、現在位置が移動するために、前回決めた案内情報を表示する駅とは異なることがある。図１３の例では、例えば現在位置が「新宿駅」を通過した場合には、「新宿駅」が案内情報を表示する駅に選ばれなくなる。
携帯端末２０は、下車可能な駅が残っていない場合には、処理を終了する（Ｓ５６：N）。
【００５５】
このように本実施形態の案内情報提供システムでは、案内情報ＤＢ１３１及び運行情報ＤＢ１３２を備え、携帯端末２０からそれを保持するユーザが乗車している公共交通機関を特定するための公共交通機関特定用情報（例えばＧＰＳによる位置，時刻、あるいは、手動入力による利用路線，駅，乗車時刻等）を取得し、取得時点以降にユーザが下車可能な駅を運航情報ＤＢ１３２の運行情報より特定し、特定した駅を表す駅画像と当該駅に関連付けられた案内情報のリンク画像とを生成するとともに、生成した駅画像およびリンク画像を、ユーザが乗車している公共交通機関が当該駅に到着するまでディスプレイに表示させるようにしたので、携帯端末２０を所持するユーザに対して、上記取得時点以降に下車可能な駅に関する案内情報を事前に提供すること（いわゆる先読み）ができる。これによりユーザは、案内情報に応じて途中下車して買い物等が可能になり有用である。案内情報の提供主にとっても、従来よりもユーザに広く案内情報を案内することができ、広告効果が期待できる。
【００５６】
本実施形態の携帯端末２０は、通勤・通学定期区間または乗り降りフリー区間を登録する登録手段と、それを保有するユーザの現在位置を検出する現在位置検出手段（ＧＰＳ等）を有し、登録された通勤・通学定期区間または乗り降りフリー区間における現在位置の相対位置関係を表す俯瞰画像を生成し、生成した俯瞰画像を、駅画像およびリンク画像と共にディスプレイに表示させるようにしたので、どの駅で下車可能かをユーザに視覚的に提示することができる。
【００５７】
案内情報は複数種類に分類されており、携帯端末２０は、駅画像をディスプレイの略中央部に表示させ、リンク画像を案内情報の分類毎に異なる表示形態で、当該駅画像の周辺に環状に配列するようにしたので、下車可能な駅の駅画像を中心として分類毎の案内情報を取得することができ、目的に応じた案内情報をすばやく先読みすることができる。
この場合、複数種類の案内情報のうち、ユーザが予め指定した種類のものを選択的に表示させるようにすることで、指定した種類の案内画像の取得がより容易となる。
ユーザが公共交通機関特定用情報の入力時点以降に下車可能で、かつユーザが乗車している公共交通機関が次に到着する駅および当該駅に関連付けられた案内情報を取得する構成にすれば、ユーザが指定しなくとも、次に到着する駅の案内情報を自動的にディスプレイに表示することができ、ユーザに注意を喚起することができる。
【００５８】
携帯端末２０は、また、ユーザが乗車している電車が次の駅に到着する前に、ユーザから、別の下車可能な駅の案内情報取得の指示があれば、この指示に応じた駅および当該駅に関連付けられた案内情報を取得し、指示に応じた駅の駅画像およびリンク画像を、次の駅の駅画像およびリンク画像に替えてディスプレイに表示させるようにすることで、次の駅に到着したときに乗り換えるべきかの判断の選択肢を事前にユーザに提示することができる。
【００５９】
携帯端末２０は、また、ユーザが公共交通機関特定用情報の入力時点以降に下車可能で、かつ所定の条件（天候やユーザの乗車位置、現在時刻、乗換駅等の取得条件）を満たす１以上の駅および当該駅に関連付けられた案内情報を取得し、１以上の駅を表す駅画像および１以上の駅のそれぞれの案内情報のリンク画像を生成することで、条件に適合する案内情報を先読みすることができる。特に、通勤・通学定期区間の乗換駅では、ユーザが駅構外に出て、案内情報で紹介された場所に立ち寄りやすいので、ユーザは、案内情報に応じて途中下車して買い物等が可能になり有用である。案内情報の提供主にとっても、従来よりもユーザに広く案内情報を案内することができ、広告効果が期待できる。
【符号の説明】
【００６０】
１０…案内情報提供サーバ、１００…データ通信用インタフェース、１１０…情報提供ツール、１２０…経路探索エンジン、１３１…案内情報ＤＢ、１３２…運行情報ＤＢ、２０…携帯端末、２１…現在位置検出部、２２…登録部、２３…特定用情報生成部、２４…情報取得部、２５…入力制御部、２６…画像生成部、２７…表示制御部、２８…ディスプレイ、３０データベース
【図１】
0005931793.tif 000002
【図２】
0005931793.tif 000003
【図３】
0005931793.tif 000004
【図４】
0005931793.tif 000005
【図５】
0005931793.tif 000006
【図６】
0005931793.tif 000007
【図１４】
0005931793.tif 000008
【図７】
0005931793.tif 000009
【図８】
0005931793.tif 000010
【図９】
0005931793.tif 000011
【図１０】
0005931793.tif 000012
【図１１】
0005931793.tif 000013
【図１２】
0005931793.tif 000014
【図１３】
0005931793.tif 000015
【図１５】
0005931793.tif 000016